(57)【要約】【課題】本発明は、ライセンスキーの紛失を予防することで、確実にライブラリを作成できる部品ライブラリ作成装置または部品ライブラリ作成方法を提供することである【解決手段】本発明は、電子部品を撮像する部品撮像装置と前記撮像結果から前記電子部品の部品ライブラリデータを作成する処理プログラムを有するデータ作成装置とを有し、前記処理プログラムを起動するのに必要なライセンスキーを前記部品撮像装置に固定して設けたことを特徴とする。また、部品撮像装置は前記処理プログラムを起動するのに必要なライセンスキーを前記データ作成装置に送り、前記データ作成装置は送られてくるはずの前記ライセンスキーの存在を判断し、存在すれば前記処理プログラムを起動することを特徴とする。【選択図】図４
2012053757.tif 000002
【特許請求の範囲】
【請求項１】
電子部品を撮像する部品撮像装置と前記撮像結果から前記電子部品の部品ライブラリデータを作成する処理プログラムを有するデータ作成装置とを有する部品ライブラリ作成装置において、
前記処理プログラムを起動するのに必要なライセンスキーを前記部品撮像装置に固定して設けたことを特徴とする部品ライブラリ作成装置。
【請求項２】
前記部品撮像装置は前記データ作成装置とのインターフェイスの役目をする照明コントロールボードを有し、前記ライセンスキーを前記照明コントロールボードに設けたことを特徴とする請求項１に記載の部品ライブラリ作成装置。
【請求項３】
前記ライセンスキーは前記照明コントロールボードに固定されたＵＳＢメモリに内蔵されていることを特徴とする請求項２に記載の部品ライブラリ作成装置。
【請求項４】
前記ライセンスキーは前記照明コントロールボードに固定されたＲＯＭに内蔵されていることを特徴とする請求項２に記載の部品ライブラリ作成装置。
【請求項５】
電子部品を撮像する部品撮像装置と前記撮像結果から前記電子部品の部品ライブラリデータを作成する処理プログラムを有するデータ作成装置とを有し、前記処理プログラムを起動して前記部品ライブラリデータを作成する部品ライブラリ作成方法において、
部品撮像装置は前記処理プログラムを起動するのに必要なライセンスキーを前記データ作成装置に送り、前記データ作成装置は送られてくるはずの前記ライセンスキーの存在を判断し、存在すれば前記処理プログラムを起動することを特徴とする部品ライブラリ作成方法。
【発明の詳細な説明】
【技術分野】
【０００１】
本発明は、部品ライブラリ作成装置または部品ライブラリ作成方法に係わり、特に、確実に使用可能な部品ライブラリ作成装置または部品ライブラリ作成方法に関する。
【背景技術】
【０００２】
プリント基板上に電子部品の実装を行う産業用ロボットであるチップマウンタでは、電子部品の実装前に部品ライブラリを作成する必要がある。部品ライブラリの作成はチップマウンタ上でもできるが、マウンタの稼動を停止させないために、マウンタから独立した専用の部品ライブラリ作成装置が開発されている。部品ライブラリ作成装置では、ライブラリを作るために必要な処理プログラムを起動するのにライセンスキーが必要である。ライセンスキーはＵＳＢメモリに収められ、部品ライブラリ作成装置のパソコン本体ＰＣのＵＳＢポートに接続することで処理プログラムの起動を可能としていた。特許文献１にはパソコン本体側にライセンスキーを設ける方法が開示されている。
【先行技術文献】
【特許文献】
【０００３】
【特許文献１】特開２００５−５０１６０号公報
【発明の概要】
【発明が解決しようとする課題】
【０００４】
部品ライブラリ作成装置は、特許文献１に示すように、部品ライブラリデータを作成する処理プログラムが不正に使用されないように、処理プログラムを処理するパソコンにライセンスキーを格納したＵＳＢメモリを接続し、部品ライブラリデータを作成するのが一般的であった。
しかしながら、ライセンスキーをＵＳＢメモリなどでパソコンに接続する方式ではライセンスキーを紛失する恐れがあった。ライセンスキーがないと部品ライブラリを作成できず、顧客工場の生産に多大なる悪影響を与える恐れがあった。
【０００５】
本発明の目的は、上記の状況を鑑みてなされたものであり、ライセンスキーの紛失を予防することで、確実にライブラリを作成できる部品ライブラリ作成装置または部品ライブラリ作成方法を提供することである。
【課題を解決するための手段】
【０００６】
本発明は、上記の目的を達成するために、少なくとも以下の特徴を有する。
本発明は、電子部品を撮像する部品撮像装置と前記撮像結果から前記電子部品の部品ライブラリデータを作成する処理プログラムを有するデータ作成装置とを有し、前記処理プログラムを起動するのに必要なライセンスキーを前記部品撮像装置に固定して設けたことを第１の特徴とする。
【０００７】
また、本発明は、前記部品撮像装置は前記データ作成装置とのインターフェイスの役目をする照明コントロールボードを有し、前記ライセンスキーを前記照明コントロールボードに設けたことを第２の特徴とする。
さらに、前記ライセンスキーは前記照明コントロールボードに固定された前記ＵＳＢメモリまたはＲＯＭに内蔵されていることを第３の特徴とする。
【０００８】
また、本発明は、部品撮像装置は前記処理プログラムを起動するのに必要なライセンスキーを前記データ作成装置に送り、前記データ作成装置は送られてくるはずの前記ライセンスキーの存在を判断し、存在すれば前記処理プログラムを起動することを第４の特徴とする。
【発明の効果】
【０００９】
本発明によれば、ライセンスキーの紛失を予防でき、確実に部品ライブラリを作成できる部品ライブラリ作成装置または部品ライブラリ作成方法を提供できる。
【図面の簡単な説明】
【００１０】
【図１】本発明の実施形態である部品ライブラリ作成装置を示す図である。
【図２】部品ライブラリデータの作成フローを示す図である。
【図３】部品ライブラリデータの一例としてＳＯＰタイプのＩＣの場合を示す図である。
【図４】本発明の特徴であるラインセンスキーを有する照明コントロールボードの第１の実施例１を示す。
【図５】本発明の特徴であるラインセンスキーを有する照明コントロールボードの第２の実施例２を示す。
【発明を実施するための形態】
【００１１】
本発明の実施形態である部品ライブラリ作成装置１を図１を用いて説明する。
部品ライブラリ作成装置１は、大別して電子部品２１を撮像する部品撮像装置２と前記撮像結果に基づいて部品ライブラリデータを作成するデータ作成装置３とを有する。
【００１２】
部品撮像装置２は、照明装置１３と、部品載置高さレベル調整装置１４と、両者を固定する設置スタンド１２とを有する。
照明装置１３は、円筒状の装置本体１５内と、部品認識カメラ１６と、レンズ１７が配設された鏡筒１８と、複数個のリング状の反射ＬＥＤ照明装置１９を備えた反射照明本体２０と、電源スイッチ７を備えた照明コントロールボード８とを有する。
一方、部品載置高さレベル調整装置１４は、部品載置台２４と、基礎台２５と、部品載置台２４と基礎台２５の間に照明方法や電子部品２１の高さに応じて高さを調節する複数の段数を有する調整台２３と、設置スタンド１２に固定するための固定台２２とを有する。なお、１０はコンセントに接続されるＡＣアダプタであり、９は電源ケーブルである。
【００１３】
データ作成装置３は、キーボード、マウス等の入力装置６と、制御装置としてのマイクロコンピュータ等を内部に備えたパソコン本体４と、報知装置としてのモニター５とを有する。
部品撮像装置２とデータ作成装置３との間には、部品認識カメラ１６の撮像データをパソコン本体４に送るＵＳＢケーブル１１と、コントロールボックス８Ｂに収納されている照明コントロールボード８とパソコン本体４との制御信号等のやり取りのためのＵＳＢケーブル６が接続されている。
【００１４】
以上の構成により、電子部品装着装置の運転中においてもオフラインで部品ライブラリデータを作成することができる。図２は部品ライブラリデータの作成フローを示す。
まず、作業者は、これから部品ライブラリデータを作成しようとする電子部品の厚さを計測して、パソコン本体４の入力装置６を操作して、モニター５に表示された画面に部品厚みを入力すると共に、教示条件、例えば、照明方法などを入力する(Sｔｅｐ１)。
【００１５】
すると、パソコン本体４の内部メモリ（図示せず）に部品厚さと調整台２３の段数の対応表を格納しているので、前記入力された厚さに基づいて、調整台２３の段数等の指示がモニター５に表示され、作業員はその指示に従い作業を実施する(Step２)。例えば厚さが１５．０ｍｍで照明方法が反射照明である場合には基礎台２５上に調整台２３を２段載置する必要がある旨がモニター５に表示される。厚さが８．０ｍｍで照明方法が透過照明である場合には基礎台５０上に調整台（図示せず）が２段及び最上段として透過用調整台（図示せず）を載置する必要がある旨を表示する。
【００１６】
次に、この状態で、パソコン本体４及びＡＣアダプタ１０を商用電源に接続し、照明コントロールボード８の電源スイッチ７をオンにして、電子部品を調整台に載置する（Step３）。このとき、入力装置６を操作して、照明方法が反射照明である場合には、部品撮像装置２の反射照明本体２０を点灯させて、部品認識カメラ１６で部品載置台２４上の電子部品２１を撮像する(Step４)。なお、照明方法が透過照明である場合には、最上段の透過用調整台（図示せず）内に配設された透過用の照明灯(図示せず)を点灯させて、透過用調整台上の電子部品に照射した状態として、部品認識カメラ１６で透過像を撮像する。
【００１７】
次に、パソコン本体４は、作業者が処理プログラムの使用権限を有しているかをライセンスキー有無で判断する(Step５)。なお、この判断は、Step３の電源スイッチのＯＮ動作を実施することを条件にStep１の前に実施してもよい。Step５において、ライセンスキーがなければ処理は終了となる。有れば次のStep６へ行く。
【００１８】
Step６では、部品ライブラリこの撮像された画像についてパソコン本体４が認識処理すると共に、この認識処理結果に基づいて、当該電子部品２１の部品ライブラリデータを作成する。即ち、パソコン本体４のマイクロコンピュータを構成するＲＯＭ（リ−ド・オンリー・メモリ）に格納された処理プログラムに従い、部品ライブラリデータを作成する。その後、部品ライブラリデータを保存する（Step６）。
【００１９】
このようにして作成された部品ライブラリデータの一例としてＳＯＰタイプのＩＣの場合を図３に示す。図３(ａ）は、図３(ｂ)に示すデータ項目に対する部品ライブラリデータを示す。
【００２０】
図４は、本発明の特徴であるラインセンスキーを有する照明コントロールボード８の第１の実施例１を示す。
照明コントロールボード８は、ねじ３２により照明コントロールボード８に固定されたライセンスキー内蔵ＵＳＢメモリ３１と、ライセンスキー内蔵ＵＳＢメモリ３１を接続するＵＳＢコネクタ３０と、外部電源であるＡＣアダプタ１０から電源をＯＮ/ＯＦＦする電源スイッチ７と、電源スイッチ7からのＤＣ電源を照明コントロールボード８内外の必要なＤＣ電源に変換するＤＣ/ＤＣコンバータ３５、反射ＬＥＤ照明装置１９などの照明装置への電流源３６、外部機器である部品認識カメラ１６や反射ＬＥＤ照明装置１９への電源等供給用コネクタ３７ａ、３７ｂと、パソコン本体４との信号授受の為のＵＳＢコネクタ３８、ＲＯＭ３４ａ、ＲＡＭ３４ｂを有し照明コントロールボード８内の機器を制御するＣＰＵ３４とを有する。なお、ＶｃｃはＣＰＵ３４、ＵＳＢコネクタ３０などの電源である。
【００２１】
この構成において、電源スイッチ７をＯＮすると、ＣＰＵ３４はＵＳＢコネクタ３０からライセンスキー３１のライセンスキーデータを読取り、パソコン本体４にライセンスキーデータを送信する。パソコン本体４は、受信したライセンスキーデータに基づき図２のステップ５に示すライセンスの有無を判断し、その後の処理を行う。
【００２２】
以上説明した実施形態によれば、ライセンスキー内蔵ＵＳＢメモリ３１を照明コントロールボード８に設けることによって、部品撮像装置２にライセンスキーを常備しているので、ライセンスキーを紛失することない。その結果、ライセンスキーを有する部品撮像装置２をライセンスの必要な部品ライブラリデータ処理プログラムを有するパソコンと接続することにより、確実に部品ライブラリ作成装置及び部品ライブラリ作成を提供できる。
【００２３】
図５は、本発明の特徴であるラインセンスキーを有する照明コントロールボード８の第２の実施例２を示す。
実施例２の実施例１と異なる点は、ライセンスキー内蔵ＵＳＢメモリ３１の代わりにライセンスキーデータが書き込まれたライセンスキー内蔵ＲＯＭ３３を有している点である。その他の点については実施例１と同様である。
実施例２を有する本実施形態においても、部品撮像装置２にライセンスキーを常備しているので、実施例１と有する場合と同じ効果を奏することができる。
【００２４】
また、実施例２に示すように、ＵＳＢメモリだけでなく、ライセンスキーを書き換え不可能な状態で、照明コントロールボード８などの部品撮像装置２側に固定的に設けることが本発明の課題の解決手段となる。
以上のように本発明の実施形態について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００２５】
１：部品ライブラリ作成装置            ２：部品撮像装置
３：データ作成装置                    ４：パソコン本体
５：モニター                          ６：入力装置
７：電源スイッチ                      ８：照明コントロールボード
１４：部品載置高さレベル調整装置      １６：部品認識カメラ
１９：反射ＬＥＤ照明装置              ２０：反射照明本体
２１：電子部品                        ３０：ＵＳＢコネクタ
３１：ライセンスキー内蔵ＵＳＢメモリ  ３３：ライセンスキー内蔵ＲＯＭ。
【図１】
2012053757.tif 000003
【図２】
2012053757.tif 000004
【図３】
2012053757.tif 000005
【図４】
2012053757.tif 000006
【図５】
2012053757.tif 000007